(57)【特許請求の範囲】
【請求項１】
布製でいずれの方向にも変形容易な袋体と、該袋体の開口部に取り付けられる枠体と、該枠体の内側の導入口を開閉するシャッタとを有し、該シャッタが開放された状態で前記枠体の導入口を介して前記袋体内に紙幣を収納可能な紙幣収納カセットと、
該紙幣収納カセットが着脱可能に装填されるとともに、装填時に前記枠体を支持して該枠体の所定の装填位置に向けた摺動を案内する支持手段を有する処理機本体とを備えた紙幣処理機であって、
前記枠体には、前記シャッタを閉状態でロックするシャッタロック機構が設けられており、
前記処理機本体には、
前記枠体の前記装填位置に向けた摺動時に該摺動によって前記枠体を取り外し不可に係止する枠体ロック機構と、
前記枠体の前記装填位置に向けた摺動時に該摺動によって、前記枠体ロック機構による前記枠体の係止以降に前記シャッタロック機構のロックを解除するシャッタロック解除手段と、
前記枠体の前記装填位置に向けた摺動時に該摺動によって、前記シャッタロック解除手段による前記シャッタロック機構のロック解除以降に前記シャッタを開方向に押圧して前記シャッタロック機構からロック不可な位置まで離間させるシャッタ押圧手段とが設けられ、
前記枠体ロック機構は、前記枠体の前記装填位置に向けた摺動時に該摺動によって、前記シャッタ押圧手段による前記シャッタの前記シャッタロック機構からロック不可な位置への離間以降に前記枠体を前記装填位置でロックすることを特徴とする紙幣処理機。
【請求項２】
前記枠体には、前記シャッタの閉時に、該シャッタで押圧されて回動し前記枠体ロック機構による前記枠体の前記装填位置でのロックを解除する枠体ロック解除レバーが設けられていることを特徴とする請求項１に記載の紙幣処理機。
【請求項３】
前記シャッタロック解除手段はラックギアであり、前記シャッタロック機構は、前記シャッタに係合する回動可能なフックと、前記ラックギアに噛み合って回転するピニオンギアと、該ピニオンギアの回転によって前記フックを押圧し回動させる作動レバーとを有することを特徴とする請求項１または２に記載の紙幣処理機。
【請求項４】
前記作動レバーは、前記枠体の前記装填位置に向けた摺動時に該摺動によって、前記シャッタの前記シャッタロック機構からロック不可な位置への離間以降に前記フックへの押圧を解除することを特徴とする請求項３に記載の紙幣処理機。
【請求項５】
前記シャッタ押圧手段は、前記シャッタを押圧する回動可能な押圧レバーを有しており、該押圧レバーは、前記枠体の前記装填位置に向けた摺動時に、前記シャッタに当接して該シャッタを開方向に押圧するとともに、該シャッタの前記シャッタロック機構からロック不可な位置への離間以降に前記枠体に当接し回動して前記シャッタへの当接を解除することを特徴とする請求項１乃至４のいずれか一項に記載の紙幣処理機。
【請求項６】
布製でいずれの方向にも変形容易な袋体と、該袋体の開口部に取り付けられる枠体と、該枠体の内側の導入口を開閉するシャッタとを有し、該シャッタが開放された状態で前記枠体の導入口を介して前記袋体内に紙幣を収納可能な紙幣収納カセットと、
該紙幣収納カセットが着脱可能に装填されるとともに、装填時に前記枠体を支持して該枠体の所定の装填位置に向けた摺動を案内する支持手段を有する処理機本体とを備えた紙幣処理機であって、
前記枠体には、前記シャッタを閉状態でロックするシャッタロック機構が設けられており、
前記処理機本体には、
前記枠体の前記装填位置に向けた摺動時に該摺動によって前記枠体を取り外し不可に係止する枠体ロック機構と、
前記枠体の前記装填位置に向けた摺動時に該摺動によって、前記枠体ロック機構による前記枠体の係止以降に前記シャッタロック機構のロックを解除するシャッタロック解除手段と、
前記枠体の前記装填位置に向けた摺動時に該摺動によって、前記シャッタロック解除手段による前記シャッタロック機構のロック解除以降に前記シャッタを開方向に押圧して前記シャッタロック機構からロック不可な位置まで離間させるシャッタ押圧手段とが設けられ、
前記シャッタ押圧手段は、前記シャッタを押圧する回動可能な押圧レバーを有しており、該押圧レバーは、前記枠体の前記装填位置に向けた摺動時に、前記シャッタに当接して該シャッタを開方向に押圧するとともに、該シャッタの前記シャッタロック機構からロック不可な位置への離間以降に前記枠体に当接し回動して前記シャッタへの当接を解除することを特徴とする紙幣処理機。
【請求項７】
前記シャッタロック解除手段はラックギアであり、前記シャッタロック機構は、前記シャッタに係合する回動可能なフックと、前記ラックギアに噛み合って回転するピニオンギアと、該ピニオンギアの回転によって前記フックを押圧し回動させる作動レバーとを有することを特徴とする請求項６に記載の紙幣処理機。
【請求項８】
前記作動レバーは、前記枠体の前記装填位置に向けた摺動時に該摺動によって、前記シャッタの前記シャッタロック機構からロック不可な位置への離間以降に前記フックへの押圧を解除することを特徴とする請求項７に記載の紙幣処理機。
【発明の詳細な説明】
【技術分野】
【０００１】
本発明は、紙幣処理機に関する。
【背景技術】
【０００２】
紙幣処理機において、紙幣を収納する紙幣収納カセットを処理機本体に対し着脱可能に構成し、この紙幣収納カセットを金庫として用いて紙幣の運搬を行うことが行われているが、紙幣収納カセットを蛇腹構造にして伸縮可能に構成し、紙幣の収納量に応じて収納容量を変化させることで、空状態での取扱性および保管効率を向上する技術がある（例えば、特許文献１参照）。
【特許文献１】特開２０００−１４９０８８号公報
【発明の開示】
【発明が解決しようとする課題】
【０００３】
しかしながら、上記の紙幣収納カセットは、蛇腹構造を採用していることから、伸縮方向の変形は容易であるものの、他の方向への変形は容易ではなく、また、最も縮長させた状態でも十分に小型化できるとは言えなかった。
【０００４】
したがって、本発明は、空状態での取扱性および保管効率を一層向上できる紙幣収納カセットを備えた紙幣処理機の提供を目的とする。
【課題を解決するための手段】
【０００５】
上記目的を達成するために、請求項１に係る発明は、布製でいずれの方向にも変形容易な袋体と、該袋体の開口部に取り付けられる枠体と、該枠体の内側の導入口を開閉するシャッタとを有し、該シャッタが開放された状態で前記枠体の導入口を介して前記袋体内に紙幣を収納可能な紙幣収納カセットと、該紙幣収納カセットが着脱可能に装填されるとともに、装填時に前記枠体を支持して該枠体の所定の装填位置に向けた摺動を案内する支持手段を有する処理機本体とを備えた紙幣処理機であって、前記枠体には、前記シャッタを閉状態でロックするシャッタロック機構が設けられており、前記処理機本体には、前記枠体の前記装填位置に向けた摺動時に該摺動によって前記枠体を取り外し不可に係止する枠体ロック機構と、前記枠体の前記装填位置に向けた摺動時に該摺動によって、前記枠体ロック機構による前記枠体の係止以降に前記シャッタロック機構のロックを解除するシャッタロック解除手段と、前記枠体の前記装填位置に向けた摺動時に該摺動によって、前記シャッタロック解除手段による前記シャッタロック機構のロック解除以降に前記シャッタを開方向に押圧して前記シャッタロック機構からロック不可な位置まで離間させるシャッタ押圧手段とが設けられ、前記枠体ロック機構は、前記枠体の前記装填位置に向けた摺動時に該摺動によって、前記シャッタ押圧手段による前記シャッタの前記シャッタロック機構からロック不可な位置への離間以降に前記枠体を前記装填位置でロックすることを特徴としている。
【０００７】
請求項２に係る発明は、請求項１に係る発明において、前記枠体には、前記シャッタの閉時に、該シャッタで押圧されて回動し前記枠体ロック機構による前記枠体の前記装填位置でのロックを解除する枠体ロック解除レバーが設けられていることを特徴としている。
【０００８】
請求項３に係る発明は、請求項１または２に係る発明において、前記シャッタロック解除手段はラックギアであり、前記シャッタロック機構は、前記シャッタに係合する回動可能なフックと、前記ラックギアに噛み合って回転するピニオンギアと、該ピニオンギアの回転によって前記フックを押圧し回動させる作動レバーとを有することを特徴としている。
【０００９】
請求項４に係る発明は、請求項３に係る発明において、前記作動レバーは、前記枠体の前記装填位置に向けた摺動時に該摺動によって、前記シャッタの前記シャッタロック機構からロック不可な位置への離間以降に前記フックへの押圧を解除することを特徴としている。
【００１０】
請求項５に係る発明は、請求項１乃至４のいずれか一項に係る発明において、前記シャッタ押圧手段は、前記シャッタを押圧する回動可能な押圧レバーを有しており、該押圧レバーは、前記枠体の前記装填位置に向けた摺動時に、前記シャッタに当接して該シャッタを開方向に押圧するとともに、該シャッタの前記シャッタロック機構からロック不可な位置への離間以降に前記枠体に当接し回動して前記シャッタへの当接を解除することを特徴としている。
請求項６に係る発明は、布製でいずれの方向にも変形容易な袋体と、該袋体の開口部に取り付けられる枠体と、該枠体の内側の導入口を開閉するシャッタとを有し、該シャッタが開放された状態で前記枠体の導入口を介して前記袋体内に紙幣を収納可能な紙幣収納カセットと、該紙幣収納カセットが着脱可能に装填されるとともに、装填時に前記枠体を支持して該枠体の所定の装填位置に向けた摺動を案内する支持手段を有する処理機本体とを備えた紙幣処理機であって、前記枠体には、前記シャッタを閉状態でロックするシャッタロック機構が設けられており、前記処理機本体には、前記枠体の前記装填位置に向けた摺動時に該摺動によって前記枠体を取り外し不可に係止する枠体ロック機構と、前記枠体の前記装填位置に向けた摺動時に該摺動によって、前記枠体ロック機構による前記枠体の係止以降に前記シャッタロック機構のロックを解除するシャッタロック解除手段と、前記枠体の前記装填位置に向けた摺動時に該摺動によって、前記シャッタロック解除手段による前記シャッタロック機構のロック解除以降に前記シャッタを開方向に押圧して前記シャッタロック機構からロック不可な位置まで離間させるシャッタ押圧手段とが設けられ、前記シャッタ押圧手段は、前記シャッタを押圧する回動可能な押圧レバーを有しており、該押圧レバーは、前記枠体の前記装填位置に向けた摺動時に、前記シャッタに当接して該シャッタを開方向に押圧するとともに、該シャッタの前記シャッタロック機構からロック不可な位置への離間以降に前記枠体に当接し回動して前記シャッタへの当接を解除することを特徴としている。
請求項７に係る発明は、請求項６に係る発明において、前記シャッタロック解除手段はラックギアであり、前記シャッタロック機構は、前記シャッタに係合する回動可能なフックと、前記ラックギアに噛み合って回転するピニオンギアと、該ピニオンギアの回転によって前記フックを押圧し回動させる作動レバーとを有することを特徴としている。
請求項８に係る発明は、請求項７に係る発明において、前記作動レバーは、前記枠体の前記装填位置に向けた摺動時に該摺動によって、前記シャッタの前記シャッタロック機構からロック不可な位置への離間以降に前記フックへの押圧を解除することを特徴としている。
【発明の効果】
【００１１】
請求項１，６に係る発明によれば、紙幣収納カセットが、袋体が布製でいずれの方向にも変形容易であるため、空の状態においては変形自由度が高くて取扱性に優れることになり、また、一層小さく折り畳むことができることになって保管効率も優れることになる。そして、この紙幣収納カセットを処理機本体に装填するにあたっては、紙幣収納カセットの枠体を支持手段に支持させた状態で所定の装填位置に向けて摺動させると、この摺動によって、まず処理機本体に設けられた枠体ロック機構が枠体を取り外し不可に係止し、この係止以降にシャッタロック解除手段がシャッタロック機構のロックを解除し、このロック解除以降にシャッタ押圧手段がシャッタを開方向に押圧してシャッタロック機構からロック不可な位置まで離間させることになる。その結果、シャッタを開放可能となって、紙幣収納カセットへの紙幣の収納が可能な状態となる。このように、枠体の所定の装填位置に向けての摺動によって、枠体のロック、シャッタのロック解除、シャッタの開放を行うことができるため、操作者の作業的な負担が少なくなる。
【００１２】
請求項１に係る発明によれば、枠体の装填位置に向けた摺動時に、シャッタ押圧手段によるシャッタのシャッタロック機構からロック不可な位置への離間以降に、枠体ロック機構が枠体を装填位置でロックする。このように、シャッタのロック解除前に枠体を取り外し不可に係止する枠体ロック機構によって、枠体を最終的な装填位置でロックできるため、低コスト化が図れる。
【００１３】
請求項２に係る発明によれば、シャッタの閉時に、枠体に設けられた枠体ロック解除レバーがシャッタで押圧されて回動し枠体ロック機構による枠体の装填位置でのロックを解除して、処理機本体からの紙幣収納カセットの取り外しを可能とする。このようにシャッタの閉作動に連動して処理機本体からの紙幣収納カセットの取り外しが可能になるため、操作者の作業的な負担が少なくなる。
【００１４】
請求項３，７に係る発明によれば、紙幣収納カセットの枠体を支持手段に支持させた状態で所定の装填位置に向けて摺動させると、シャッタロック解除手段であるラックギアが、シャッタロック機構のピニオンギアを回転させることになり、このピニオンギアの回転によって作動レバーがフックを押圧し回動させてフックのシャッタへの係合を解除する。このようにラックギアとピニオンギアとの噛み合いによってフックを回動させるため、確実かつ正確なタイミングでシャッタのロックを解除することができる。
【００１５】
請求項４，８に係る発明によれば、作動レバーが、枠体の装填位置に向けた摺動時にシャッタのシャッタロック機構からロック不可な位置への離間以降にフックへの押圧を解除するため、フックは再びシャッタをロック可能な位置に戻ることになり、自動的にシャッタの閉時のロックに備える状態になる。
【００１６】
請求項５，６に係る発明によれば、紙幣収納カセットの枠体を支持手段に支持させた状態で所定の装填位置に向けて摺動させると、シャッタ押圧手段の押圧レバーは、シャッタに当接してシャッタを開方向に押圧し、シャッタのシャッタロック機構からロック不可な位置への離間以降に枠体に当接し回動してシャッタへの当接を解除する。よって、自動的にその後のシャッタの閉作動を許容する状態になる。
【発明を実施するための最良の形態】
【００１７】
本発明の一実施形態の紙幣収納カセットおよびそれを用いた紙幣処理機を図面を参照して以下に説明する。
図１は紙幣処理機１を示すもので、この紙幣処理機１は、バラの紙幣Ｓを計数して入金および収納する入金収納処理と、バラの紙幣Ｓを計数して返却する計数処理とを行うことが可能とされるものである。
【００１８】
紙幣処理機１は、図１に概略的に示すように、処理機本体２と、処理機本体２に対し着脱可能に装填される紙幣収納カセット３とを有している。
【００１９】
処理機本体２は、機体の前面２Ａ側の上部にバラ紙幣Ｓが投入される装填部１２が設けられ、この装填部１２の下側に機体内からリジェクト紙幣が繰り出されるリジェクト部１３が設けられている。
【００２０】
装填部１２は、水平に対し若干後ろ下がりに傾斜してその底をなす台部１５を有しており、この台部１５上に紙幣Ｓが上下方向に集積された状態で装填される。なお、台部１５を水平に配置しても良い。
【００２１】
また、装填部１２には、台部１５の機体奥側上方に機体左右方向に沿って配設された回動軸１６と、この回動軸１６に回動可能に支持されて台部１５の上側で上下に揺動可能とされ、台部１５上に装填された紙幣Ｓを台部１５との間で挟持するビルプレス１７とが設けられている。
【００２２】
処理機本体２は、装填部１２の機体奥側に、このように台部１５上に装填されたバラ紙幣Ｓを、下側のものから一枚ずつ分離して機体内に繰り出す分離繰出部２０を有している。この分離繰出部２０は、装填部１２の台部１５に、台部１５から上部を一部突出させた状態で機体左右方向に沿う軸回りに回転可能に設けられた蹴出ローラ２１と、台部１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３とを有している。分離ローラ２３は、図示せぬワンウエイクラッチによって繰出ローラ２２側が紙幣Ｓを機体奥方に移動させる方向の回転、すなわち図１における反時計回り方向の回転が規制され、逆方向の回転のみ許容される。
【００２３】
このような分離繰出部２０は、台部１５上に装填されたバラ紙幣Ｓの最下のものを蹴出ローラ２１で繰出ローラ２２と分離ローラ２３との間に蹴り出し、この蹴り出し時に最下の紙幣Ｓに引きずられて繰出ローラ２２と分離ローラ２３との間に移動した紙幣Ｓを分離ローラ２３で止めて蹴り出された最下の紙幣Ｓのみを繰出ローラ２２で機体内方に繰り出す。
【００２４】
処理機本体２は、分離繰出部２０の機体奥側に接続され、分離繰出部２０から繰り出された紙幣Ｓを搬送する搬送部２５を有している。この搬送部２５は、紙幣Ｓを案内する複数のガイド板と搬送ローラと振分部材等で構成されるもので、分離繰出部２０から略水平に沿って機体奥側に延出した後に下側に折り返し略水平に沿って機体手前側に延出してリジェクト部１３に接続される搬送路２６と、この搬送路２６の途中から分岐して前下がりに延出する搬送路２７とを有しており、搬送路２６には、搬送中の紙幣Ｓの金種、真偽、正損および搬送異常の識別と計数とを行う識別部２８が設けられている。
【００２５】
処理機本体２は、搬送部２５の搬送路２７の端末位置に、識別部２８により真紙幣かつ正紙幣で正常搬送と識別された紙幣Ｓを金種混合で一時貯留させる一時貯留部３０が接続されている。この一時貯留部３０は、機体前面側から開閉可能な返却扉３１と、返却扉３１とで平面視枠状をなす壁部３２と、機体前後方向に水平にスライドすることで返却扉３１および壁部３２で囲まれた一時貯留空間３３の下部を開閉する一時貯留部シャッタ３４と、紙幣Ｓを下方に押し込む昇降可能な押込部３５とを有している。そして、処理機本体２には、各部を制御する制御部３６と、操作者による操作入力が行われる操作部３７と、操作者への表示を行う表示部３８とが設けられている。また、返却扉３１には、制御部３６でロックおよびロック解除が制御される返却扉ロック部３９が設けられている。
【００２６】
なお、装填部１２には、紙幣Ｓが分離繰出部２０の分離繰出方向に短手方向を沿わせる姿勢で装填されることになり、搬送部２５は紙幣Ｓをその短手方向を搬送方向に沿わせた姿勢で搬送し、その短手方向を放出方向に沿わせた姿勢で一時貯留部３０およびリジェクト部１３のいずれかに放出させる。勿論、紙幣Ｓを長手方向を搬送方向に沿わせた姿勢で搬送するようにしても良い。
【００２７】
そして、紙幣収納カセット３は、処理機本体２の前面２Ａに設けられた開閉可能な扉体４０を開いた状態で処理機本体２に対し機体前後方向に出し入れされることになり、処理機本体２に装填された状態で一時貯留部３０の鉛直下方に配置される。以下、紙幣収納カセット３を処理機本体２に装填された状態をもって説明する。
【００２８】
図２に示すように、紙幣収納カセット３は、滑りの良い布製であって長さ方向一側に開口部４１を有する略有底角筒状に縫製された袋体４２を有している。この袋体４２は全体的に布製とされることで、三次元のいずれの方向にも変形容易となっているものの、外力を受けない状態では縫製によって有底角筒状をほぼ維持可能になっている。
【００２９】
紙幣収納カセット３は、袋体４２の開口部４１側の周縁部に取り付けられる金属製または合成樹脂製の枠体４３を有している。この枠体４３は、平面視が長方形枠状をなすとともに袋体４２の開口部４１側の周縁部の全周に取り付けられる下部構成体４４と、この下部構成体４４に開閉可能にヒンジ結合された平面視が長方形枠状の上部構成体４６とを有している。上部構成体４６は下部構成体４４に対して閉状態（当接状態）でロック可能とされている。下部構成体４４には、周方向に等間隔で係止突起部４７が形成されており、袋体４２の開口部４１側の周縁部が係止突起部４７に係止される。そして、下部構成体４４の内側に嵌合固定される角リング状の保持部材４８によって、係止突起部４７に係止された袋体４２の上方移動を規制し、係止突起部４７からの外れを規制する。
【００３０】
紙幣収納カセット３は、その枠体４３が、処理機本体２に機体前後方向に沿う水平状態で固定されたガイドレール（支持手段）５０に案内されて処理機本体２内奥方の所定の装填位置に配置されることになり、ガイドレール５０の上面に載置されて水平状態に支持されることになる。
【００３１】
上部構成体４６には、枠体４３の上部に形成された導入口５２を開閉するスライド式のカセットシャッタ（シャッタ）５３が設けられている。このカセットシャッタ５３は、上部構成体４６に形成されたガイド溝５４に沿って導入口５２を機体前後方向の一方から他方まで水平状態でスライドする平板状のスライド体５５と、このスライド体５５に回動軸５６を介して回動自在にヒンジ結合される揺動体５７とを有している。
【００３２】
上部構成体４６には、閉状態のカセットシャッタ５３の下側に、一対のフラッパ６０がそれぞれ回動軸６１を中心に回動可能に設けられている。これらフラッパ６０は、それぞれが支持される回動軸６１から互いに近接する方向に延出し、平面視で導入口５２内に両側から突出する閉状態と、回動軸６１を中心に下方に回動して平面視で導入口５２内から退避する開状態との間で回動可能とされ、閉状態となるように図示せぬネジリバネで付勢されている。
【００３３】
一時貯留部３０の鉛直下方位置つまり紙幣収納カセット３が装填される装填空間には、上下方向に沿うガイド６２に沿って昇降可能な可動ステージ６３が設けられている。この可動ステージ６３は、機体左右方向に沿って延在するように配置された回転自在の支持ローラ６４を有している。可動ステージ６３は、図示略のスプリングで常時上方向に付勢されており、上限位置においては図示略のストッパに当接する。
【００３４】
以上の紙幣処理機１においては、処理機本体２の前面の扉体４０を開いた状態で、カセットシャッタ５３が閉状態とされた空の紙幣収納カセット３を処理機本体２内の所定の装填位置に装填する。つまり、紙幣収納カセット３の枠体４３をガイドレール５０上に搭載し、ガイドレール５０上を摺動させて扉体４０から見て奥側の所定位置まで移動させる。すると、カセットシャッタ５３のロックが解除されるとともに枠体４３が処理機本体２にロックされる（後述する）。
【００３５】
ロックが解除されたカセットシャッタ５３を処理機本体２の前面２Ａ側に引き出すと、引き出されたカセットシャッタ５３は、スライド体５５が導入口５２から退避する位置に位置すると揺動体５７が全体として枠体４３よりも外側に位置し、回動軸５６を介して回動可能となって下方に延出する姿勢に折り畳まれる。
【００３６】
上記した装填時に、変形容易な袋体４２は、上部の待機位置に位置する可動ステージ６３の支持ローラ６４の上側に一部載置されることになり、これにより、袋体４２は中間部が窄められた状態となる。このとき、袋体４２の窄められた窄部６７よりも上側が紙幣Ｓを収納する収納空間６８となり、袋体４２の窄められた窄部６７が収納空間６８の底部となる。
【００３７】
そして、例えば、紙幣Ｓの入金収納処理を行う場合には、操作者が装填部１２のビルプレス１７を持ち上げてこれと台部１５との間に紙幣Ｓを、その短手方向を機体前後方向に沿わせた状態で装填する。このとき、金種混合の装填および単一金種の装填のいずれも可能である。そして、操作者が操作部３７に入金開始の操作を入力すると、制御部３６が分離繰出部２０と搬送部２５とを駆動する。すると、装填部１２に装填された紙幣Ｓが最下のものから一枚ずつ機内に繰り出され、搬送部２５で搬送される。その途中で識別部２８により受け入れ可能と識別された紙幣Ｓが搬送路２７から一時貯留部３０内に放出され、それ以外の紙幣Ｓがリジェクト部１３に放出される。なお、リジェクト部１３に放出された紙幣Ｓはそのまま機外へ取り出し可能となる。
【００３８】
上記のようにして、装填部１２に装填された紙幣Ｓが、リジェクト部１３および一時貯留部３０のいずれかに放出されることですべてなくなると、制御部３６は、分離繰出部２０および搬送部２５を停止させて、識別部２８の識別結果に基づいて一時貯留部３０に一時貯留された紙幣Ｓの識別結果を表示部３８に表示させる。この表示を見て操作者がキャンセル操作を操作部３７に入力すると、制御部３６は返却扉ロック部３９で返却扉３１のロックを解除して開放可能とし、操作者が返却扉３１を開いて直接一時貯留部３０の紙幣Ｓを取り出すことになる。
【００３９】
他方、表示を見て操作者が承認操作を操作部３７に入力すると、制御部３６は一時貯留部シャッタ３４を開作動させることになり、一時貯留空間３３から、紙幣Ｓが下方に落下して、カセットシャッタ５３が開放された紙幣収納カセット３の導入口５２を通って閉状態の一対のフラッパ６０上に載置される。続いて、制御部３６は、押込部３５を下降させて、一対のフラッパ６０上の紙幣Ｓを、これらフラッパ６０を下方に回動させながら押し込む。すると、紙幣Ｓは、一対のフラッパ６０を通過して、可動ステージ６３で窄められた窄部６７で底部が形成される袋体４２の収納空間６８の底部または既に収納された紙幣Ｓ上に収納される。一対のフラッパ６０は紙幣Ｓが離れることで図示略のネジリバネの付勢力で水平状態に戻る。このとき、袋体４２の可動ステージ６３で窄められた窄部６７より下側に紙幣Ｓが進入することはない。
【００４０】
また、このとき、押込部３５の下降による紙幣Ｓを介しての押圧で、可動ステージ６３とその支持ローラ６４で窄められて形成される収納空間６８の底部とが、押し込む紙幣量に応じて下降することになる。
【００４１】
その後、押込部３５が閉状態の一対のフラッパ６０間を通過しながら上昇し、この押込部３５の上昇によって図示略のスプリングの付勢力で、可動ステージ６３とその支持ローラ６４で窄められて形成される収納空間６８の底部とが上昇することになり、収納空間６８内の紙幣Ｓは支持ローラ６４上にある袋体４２の一部と一対のフラッパ６０とで挟持されることになる。
【００４２】
なお、以上の紙幣処理機１で紙幣Ｓの計数処理を行う場合は、上記と同様にして、装填部１２に装填された紙幣Ｓがすべてリジェクト部１３および一時貯留部３０に搬送されたら、一時貯留部３０から紙幣収納カセット３に紙幣Ｓを収納せずに、返却扉３１を開いて一時貯留部３０の紙幣Ｓを操作者に返却することになる。
【００４３】
上記のようにして紙幣Ｓを収納した紙幣収納カセット３を処理機本体２から取り出す場合には、まず、操作者は、扉体４０を開き、揺動体５７を水平に持ち上げて枠体４３に押し込むことでカセットシャッタ５３を閉じる。すると、カセットシャッタ５３が閉状態でロックされるとともに、枠体４３の処理機本体２に対するロックが解除されることになり、紙幣収納カセット３が処理機本体２から取り外し可能となる（後述する）。このようにして処理機本体２から取り出された紙幣収納カセット３から紙幣を取り出す際には、操作者が上部構成体４６の下部構成体４４に対するロックを解除して上部構成体４６をカセットシャッタ５３と一体に揺動させて開き、袋体４２内から紙幣を取り出すことになる。
【００４４】
図３に示すように、紙幣収納カセット３の枠体４３内には、カセットシャッタ５３を閉状態でロックするシャッタロック機構７１が設けられている。
【００４５】
つまり、カセットシャッタ５３のスライド体５５には、下方に突出するロック部７２が形成されており、シャッタロック機構７１は、このロック部７２を開方向から係止可能なフック７３を有している。このフック７３は、図３に示すように閉位置にあるカセットシャッタ５３のロック部７２よりも閉方向奥側の回動軸７４を中心に回動可能となっており、図４にも示すように、ロック部７２に係合する状態において回動軸７４から側方に一旦延出する基板部７３ａと、この基板部７３ａの回動軸７４とは反対側からロック部７２の方向に延在する中間板部７３ｂと、この中間板部７３ｂの先端からロック部７２側に突出してロック部７２に係合する爪部７３ｃとを有している。爪部７３ｃにはそのカセットシャッタ５３側且つ突出側に、突出先端側ほど基板部７３ａに近接するように傾斜する傾斜面７３ｄが形成されている。
【００４６】
このフック７３は、回動軸７４を中心に回動することによってロック部７２に係合したりロック部７２への係合を解除したりするようになっており、シャッタロック機構７１は、フック７３をカセットシャッタ５３への係合方向に付勢する図示略のフック用バネ（フック付勢手段）を有している。なお、フック７３は、ロック部７２への係合方向への回動時は、ロック部７２に係合しない状態でも、図示略のフック用ストッパに当接することで、ロック部７２に係合したときと同様の係合位置（図３および図４に示す位置）でそれ以上の回転が規制されて停止するようになっている。
【００４７】
シャッタロック機構７１は、フック７３に回動軸７４を中心として回動可能となるように設けられた入力板７７を有している。この入力板７７は図示略の入力板用バネによって一方向に付勢されており、入力板用ストッパ７６に当接してフック７３の基板部７３ａに沿う姿勢（図３および図４に示す姿勢）に保持されている。
【００４８】
シャッタロック機構７１は、フック７３の側方に回動軸７９を中心として回動可能な作動レバー８０を有している。この作動レバー８０は、回動軸７９からカセットシャッタ５３側且つフック７３側に斜めに延出する位置（図３および図４に示す位置）を基本位置としており、その先端にはピン８０ａを有している。また、シャッタロック機構７１は、回動軸７９に固定されるピニオンギア８１を有しており、このピニオンギア８１は作動レバー８０と一体に回転する。
【００４９】
処理機本体２には、機体奥側から扉体４０側に延出するとともに、枠体４３のガイドレール５０の案内による装填位置に向けての摺動によって、ピニオンギア８１を駆動してシャッタロック機構７１によるカセットシャッタ５３のロックを解除するラックギア（シャッタロック解除手段）８４が設けられている。
【００５０】
つまり、操作者が枠体４３をガイドレール５０に搭載して機体奥方に摺動させると、図５（ａ）に示すように、ラックギア８４がピニオンギア８１に噛み合い、ピニオンギア８１および基本位置にあった作動レバー８０を摺動の力を利用して一体に回転させる。これにより、フック７３がロック部７２に係合したロック状態にあるシャッタロック機構７１は、その作動レバー８０が、基本位置からピン８０ａをカセットシャッタ５３とは反対方向に移動させるように回動することになり、図５（ｂ）に示すように、ピン８０ａが入力板７７に当接して入力板７７と一体に入力板用ストッパ７６を介してフック７３を押圧し、フック７３を回動軸７４を中心にフック用バネの付勢力に抗して回動させてロック部７２への係合を解除させる。その後、作動レバー８０が、そのピン８０ａが入力板７７を通り越す位置まで回動すると、ピン８０ａはフック７３の入力板７７から離れ、フック７３はフック用バネの付勢力で係合位置（フック用ストッパへの当接位置）に戻る。
【００５１】
他方、この状態から、操作者が枠体４３をガイドレール５０の案内で扉体４０側（機体手前）に摺動させると、摺動の力を利用してラックギア８４がピニオンギア８１および作動レバー８０を上記とは逆方向に回転させる。すると、作動レバー８０のピン８０ａは入力板７７に当接することになるが、フック７３がロック部７２およびフック用ストッパに当接しているため、作動レバー８０はフック７３を回動させることなく入力板７７のみをフック７３に対して回動させて入力板７７を通り越して基本位置に戻り、この時点でラックギア８４がピニオンギア８１から離間することになる。
【００５２】
なお、開状態にあるカセットシャッタ５３を閉状態にすると、カセットシャッタ５３のロック部７２が、係合位置にあるフック７３の傾斜面７３ｄに当接し、フック７３をフック用バネの付勢力に抗して回動させる。そして、ロック部７２がフック７３を乗り越えると、フック７３はフック用バネの付勢力で回動しロック部７２に係合する。これによりカセットシャッタ５３が閉状態でロックされる。
【００５３】
また、処理機本体２には、枠体４３のガイドレール５０の案内による装填位置に向けての摺動によって、図６に示すように、枠体４３を取り外し不可に係止する枠体ロック機構８７が設けられている。この枠体ロック機構８７は、フック型のロックレバー８８を一対有している。これらのロックレバー８８は、水平配置された回動軸８９を中心に回動可能とされており、回動軸８９から下方に延出する基板部８８ａと、基板部８８ａの下部から扉体４０側に延出する中間板部８８ｂと、中間板部８８ｂの基板部８８ａとは反対側から上方に突出する爪部８８ｃとを有している。爪部８８ｃの扉体４０側且つ上側には、扉体４０側ほど下側に位置するように傾斜する傾斜面８８ｄが形成されている。
【００５４】
ロックレバー８８は、回動軸８９を中心に回動することによって爪部８８ｃ側を上下に移動させるように回動することになり、枠体ロック機構８７は、ロックレバー８８を爪部８８ｃを上に移動させる方向に付勢する図示略のロックレバー用バネを有している。なお、ロックレバー８８は、爪部８８ｃを上に移動させる方向への回動時は、図示略のロックレバー用ストッパに当接することで、中間板部８８ｂが略水平に沿う状態（図６（ｂ）に示す状態）となり、それ以上の回転が規制される。ロックレバー８８は、この位置が基本位置となる。
【００５５】
紙幣収納カセット３の枠体４３内には、ロックレバー８８の爪部８８ｃで係止される第１係止部９１と、この第１係止部９１よりも内側にあってロックレバー８８の爪部８８ｃ係止される第２係止部９２とが設けられている。そして、枠体ロック機構８７のロックレバー８８は、枠体４３の装填位置に向けた摺動時にこの摺動によって枠体４３の第１係止部９１を係止することで枠体４３を処理機本体２から取り外し不可に係止することになり、さらになる枠体４３の装填位置に向けた摺動時にこの摺動によって、枠体４３の第２係止部９２を係止することになり、その結果、枠体４３を装填位置でロックする。
【００５６】
つまり、操作者が枠体４３をガイドレール５０に搭載して機体奥方に摺動させると、基本位置にあるロックレバー８８が枠体４３内に進入し、第１係止部９１に傾斜面８８ｄにおいて当接する。そして、ロックレバー８８は、摺動の力を利用し傾斜面８８ｄの傾斜によって爪部８８ｃを下方に移動させるようにロックレバー用バネの付勢力に抗して回動し、爪部８８ｃが第１係止部９１を乗り越えるとロックレバー用バネの付勢力で基本位置に戻り、図６（ｂ）に示すように第１係止部９１を爪部８８ｃで係止する状態となる。これにより、枠体４３が処理機本体２に対して係止されて取り外し不可となる。なお、枠体４３の装填位置に向けた摺動時に、この枠体ロック機構８７による枠体４３の第１係止部９１の係止以降に、上記したラックギア８４がシャッタロック機構７１によるカセットシャッタ５３のロックを解除するように各部寸法関係が設定されている。
【００５７】
操作者が、さらに枠体４３をガイドレール５０に沿って機体奥方に摺動させると、ロックレバー８８が、さらに内側の第２係止部９２に傾斜面８８ｄにおいて当接する。そして、ロックレバー８８は、摺動の力を利用し傾斜面８８ｄの傾斜によって爪部８８ｃを下方に移動させるようにロックレバー用バネの付勢力に抗して回動し、爪部８８ｃが第２係止部９２を乗り越えるとロックレバー用バネの付勢力で基本位置に戻り、第２係止部９２を爪部８８ｃで係止する状態となる。このとき、枠体４３が処理機本体２の機体奥方の図示略の装填ストッパに当接することになり、この装填ストッパとロックレバー８８の爪部８８ｃとで挟持されて枠体４３が装填位置でロックされる。
【００５８】
また、処理機本体２には、枠体４３の装填位置に向けた摺動時に、この摺動によって、カセットシャッタ５３を開方向に押圧してシャッタロック機構７１のフック７３から、そのロックが不可となる位置まで離間させるシャッタ押圧機構（シャッタ押圧手段）９５が設けられている。このシャッタ押圧機構９５は、図７に示すように、カセットシャッタ５３を押圧する回動可能な押圧レバー９６を有している。この押圧レバー９６は、上記したロックレバー８８を支持する回動軸８９に回動可能に支持されており、回動軸８９から扉体４０側に延出する押圧板部９６ａと、押圧板部９６ａの回動軸８９側から下方に延出する中間板部９６ｂと、中間板部９６ｂの押圧板部９６ａとは反対側から押圧板部９６ａと同側に突出する被押圧板部９６ｃとを有している。
【００５９】
この押圧レバー９６は、回動軸８９を中心に回動することによって押圧板部９６ａを上下に回動させることになり、シャッタ押圧機構９５は、押圧レバー９６を押圧板部９６ａを上に移動させる方向に付勢する図示略の押圧レバー用バネ（レバー付勢手段）を有している。なお、押圧レバー９６は、押圧板部９６ａを上に移動させる方向への回動時は、図示略の押圧レバー用ストッパに当接することで、押圧板部９６ａが略水平に沿う基本位置（図７に示す位置）となりそれ以上の回転が規制される。また、この基本位置にある状態で押圧レバー９６はその先端部がカセットシャッタ５３に当接可能な高さに位置する。
【００６０】
そして、操作者が枠体４３をガイドレール５０に搭載して機体奥方に摺動させると、押圧レバー９６が枠体４３内に進入し、カセットシャッタ５３に押圧板部９６ａの先端部において当接する。なお、枠体４３の装填位置に向けた摺動時に、上記したラックギア８４によるシャッタロック機構７１のロック解除以降に、押圧レバー９６の押圧板部９６ａが閉状態のカセットシャッタ５３の閉側の端縁部に当接するように各部寸法関係が設定されている。
【００６１】
よって、操作者が枠体４３をガイドレール５０に沿ってさらに機体奥方に摺動させると、シャッタロック機構７１によるロックが解除されたカセットシャッタ５３が摺動の力を利用して押圧レバー９６により押圧されて開方向に移動する。すると、図８に示すようにカセットシャッタ５３のロック部７２がシャッタロック機構７１のフック７３が戻っても係合できない位置まで移動することになる。なお、枠体４３の装填位置に向けた摺動時に、このようにシャッタ押圧機構９５の押圧レバー９６によるカセットシャッタ５３のシャッタロック機構７１からロック不可な位置への離間以降に、枠体ロック機構８７が枠体４３を所定の装填位置でロックするように、各部寸法関係が設定されている。また、シャッタロック機構７１の作動レバー８０は、枠体４３の装填位置に向けた摺動時に、シャッタ押圧機構９５の押圧レバー９６によるカセットシャッタ５３のシャッタロック機構７１からロック不可な位置への離間以降に、図８に示すように、フック７３の入力板７７を行き過ぎフック７３への押圧を解除するように各部寸法関係が設定されている（図８ではラックギア８４を省略）。
【００６２】
操作者が枠体４３をガイドレール５０に沿ってさらに機体奥方に摺動させると、押圧レバー９６が、図９（ａ）に示すように、被押圧板部９６ｃにおいて枠体４３に当接し、摺動の力を利用して回動軸８９を中心に回動して押圧板部９６ａの先端部を押圧レバー用バネの付勢力に抗して下降させてカセットシャッタ５３への当接を解除するとともに、図９（ｂ）に示すように、枠体ロック機構８７が枠体４３の第２係止部９２を係止し、且つ枠体４３が図示略の装填ストッパに当接して装填位置でロックされる。なお、カセットシャッタ５３のシャッタロック機構７１からロック不可な位置への離間以降かつ枠体４３の装填位置への装填以前に押圧レバー９６がカセットシャッタ５３への当接を解除するように各部寸法関係が設定されている。また、枠体４３が装填位置にあるとき、カセットシャッタ５３への当接を解除した押圧レバー９６は、カセットシャッタ５３が閉状態とされてもカセットシャッタ５３に干渉することがないように各部寸法関係が設定されている。
【００６３】
枠体４３には、図１０〜図１２に示すように、回動軸９８を中心に回動可能に支持され、開状態にあるカセットシャッタ５３が閉状態に移動する際に、このカセットシャッタ５３の閉方向の端縁部で押圧されて回動し、枠体ロック機構８７のロックレバー８８の傾斜面８８ｄに載り上げてロックレバー８８を爪部８８ｃが下方に移動し枠体４３の第１係止部９１および第２係止部９２へのロックを解除するように回動させる枠体ロック解除レバー９９が設けられている。枠体ロック解除レバー９９は、カセットシャッタ５３に当接する入力板部９９ａを上部に、ロックレバー８８に当接する出力板部９９ｂを下部に有している。なお、この枠体ロック解除レバー９９は、カセットシャッタ５３が閉じられると、図１２に示すようにロックレバー８８の爪部８８ｃを上側から出力板部９９ｂで押さえることになり、枠体４３からロックレバー８８が外に出るまでの間、ロックレバー８８を第１係止部９１および第２係止部９２に引っ掛かることのない回動位置に保持する。
【００６４】
次に、紙幣収納カセット３の処理機本体２への装填時の流れと処理機本体２からの取り外し時の流れとを説明する。
【００６５】
まず、紙幣収納カセット３は、図３に示すように、そのカセットシャッタ５３が、閉じられた状態にあってロック部７２がシャッタロック機構７１の係合位置にあるフック７３に係合しロックされている。
【００６６】
操作者が、扉体４０を開けて紙幣収納カセット３の枠体４３をガイドレール５０の扉体４０側に搭載し、このガイドレール５０に沿って機体奥方に摺動させると、枠体ロック機構８７の基本位置にあるロックレバー８８およびシャッタ押圧機構９５の基本位置にある押圧レバー９６が枠体４３内に進入するとともに、ラックギア８４が、枠体４３内に進入する。そして、まず、基本位置にあるロックレバー８８が枠体４３の第１係止部９１に傾斜面８８ｄにおいて当接して爪部８８ｃを下方に移動させるように回動し、ロックレバー用バネの付勢力で基本位置に戻って、図６に示すように、第１係止部９１を爪部８８ｃで係止する状態となる。これにより、枠体４３が処理機本体２に対して係止されて取り外し不可となる。
【００６７】
上記と並行して、ラックギア８４がシャッタロック機構７１のピニオンギア８１に噛み合い、ピニオンギア８１および基本位置にあった作動レバー８０を摺動の力を利用して一体に回転させる。これにより、作動レバー８０が基本位置から回動することになり、ピン８０ａが入力板７７に当接して入力板７７と一体に入力板用ストッパ７６を介してフック７３を押圧し、フック７３を回動軸７４を中心に回動させて、上記した枠体ロック機構８７による第１係止部９１の係止以降に、図５（ｂ）に示すようにロック部７２への係合を解除させる。
【００６８】
操作者が、引き続き、枠体４３をガイドレール５０に沿って機体奥方に摺動させると、基本位置にある押圧レバー９６が、図７に示すように、カセットシャッタ５３の閉側の端縁部に押圧板部９６ａの先端部において当接し、すでに枠体ロック機構８７によるロックが解除されているカセットシャッタ５３を押圧して開方向に移動させる。そして、カセットシャッタ５３のロック部７２がシャッタロック機構７１のフック７３が戻っても係合できない位置まで移動すると、上記のようにラックギア８４で駆動されていた作動レバー８０が、ピン８０ａが入力板７７を通り越す位置まで回動することになり、ピン８０ａはフック７３の入力板７７から離れ、図８に示すように、フック７３はフック用バネの付勢力で係合位置に戻る。
【００６９】
操作者が、引き続き、枠体４３をガイドレール５０に沿って機体奥方に摺動させると、押圧レバー９６は、図９（ａ）に示すように、枠体４３に被押圧板部９６ｃが当接し、摺動の力を利用して回動軸８９を中心に回動して押圧板部９６ａの先端部を押圧レバー用バネの付勢力に抗して下降させてカセットシャッタ５３への当接を解除することになり、これと並行して、ロックレバー８８が、さらに内側の第２係止部９２に傾斜面８８ｄにおいて当接し爪部８８ｃを下方に移動させるように回動して、図９（ｂ）に示すように、第２係止部９２を爪部８８ｃで係止すると同時に枠体４３が処理機本体２の機体奥方の図示略の装填ストッパに当接することになり、この装填ストッパとロックレバー８８の爪部８８ｃとで枠体４３が装填位置にロックされる。
【００７０】
このようにして、紙幣収納カセット３が装填位置に装填されてロックされると、操作者はカセットシャッタ５３をさらに扉体４０側に引き出して導入口５２を全開にする。これにより、上記した紙幣の紙幣収納カセット３への収納が行われることになる。
【００７１】
一方、紙幣が収納された紙幣収納カセット３を処理機本体２から取り出す場合には、扉体４０を開けて、カセットシャッタ５３を枠体４３内に押し込む。すると、図１０に示すように、カセットシャッタ５３が枠体ロック解除レバー９９を押圧して回動させることになり、回動する枠体ロック解除レバー９９が、図１１に示すように、枠体ロック機構８７のロックレバー８８の傾斜面８８ｄに載り上げてロックレバー８８を回動させて、枠体４３の第２係止部９２へのロックを解除させる位置まで爪部８８ｃを下降させ、さらに、図１２に示すように、第２係止部９２および第１係止部９１へのロックを解除させる位置まで爪部８８ｃを下降させて、爪部８８の上側に乗り上げる。これと並行して、カセットシャッタ５３のロック部７２が、シャッタロック機構７１の係合位置に戻っているフック７３の傾斜面７３ｄに当接し、フック７３を回動させて、図１２に示すように、このフック７３に係合する。これによりカセットシャッタ５３が閉状態でロックされる。
【００７２】
そして、操作者は、枠体４３をガイドレール５０に沿って摺動させて引き出すことになり、この摺動によってラックギア８４がピニオンギア８１および作動レバー８０を基本位置に戻すことになり、その際に、作動レバー８０のピン８０ａが入力板７７に当接することになるが、入力板７７が回動することで、ピン８０ａの通過を許容する。ラックギア８４は、作動レバー８０を基本位置に戻すと、ピニオンギア８１から離れ、ラックギア８４、ロックレバー８８および押圧レバー９６が枠体４３から抜け出ることになる。ロックレバー８８は、爪部８８ｃが第１係止部９１を係止不可な位置まで移動すると、枠体ロック解除レバー９９による乗り上げ状態が解除されて基本位置に戻ることになり、押圧レバー９６も被押圧板部９６ｃが枠体４３から離れることで基本位置に戻る。
【００７３】
以上に述べた本実施形態の紙幣処理機１によれば、紙幣収納カセット３が、袋体４２が布製でいずれの方向にも変形容易であるため、空の状態においては変形自由度が高くて取扱性に優れることになり、また、一層小さく折り畳むことができることになって保管効率も優れることになる。
【００７４】
また、この紙幣収納カセット３を処理機本体２に装填するにあたっては、紙幣収納カセット２の枠体４３をガイドレール５０に支持させた状態で所定の装填位置に向けて摺動させると、この摺動によって、まず処理機本体２に設けられた枠体ロック機構８７のロックレバー８８が枠体４３の第１係止部９１を取り外し不可に係止し、この係止以降にラックギア８４がシャッタロック機構７１のロックを解除し、このロック解除以降にシャッタ押圧機構９５の押圧レバー９６がカセットシャッタ５３を開方向に押圧してシャッタロック機構７１からロック不可な位置まで離間させることになる。その結果、カセットシャッタ５３を開放可能となって、紙幣収納カセット３への紙幣の収納が可能な状態となる。このように、枠体４３の所定の装填位置に向けての摺動によって、枠体４３のロック、カセットシャッタ５３のロック解除、カセットシャッタ５３の開放を行うことができるため、操作者の作業的な負担が少なくなる。
【００７５】
また、枠体４３の装填位置に向けた摺動時に、シャッタ押圧機構９５によるカセットシャッタ５３のシャッタロック機構７１からロック不可な位置への離間以降に、枠体ロック機構８７のロックレバー８８が枠体４３の第２係止部９２を装填位置でロックする。このように、カセットシャッタ５３のロック解除前に枠体４３の第１係止部９１を取り外し不可に係止する枠体ロック機構８７によって、枠体４３の第２係止部９２を最終的な装填位置でロックできるため、低コスト化が図れる。
【００７６】
また、カセットシャッタ５３の閉時に、枠体４３に設けられた枠体ロック解除レバー９９がカセットシャッタ５３で押圧されて回動し枠体ロック機構８７による枠体４３の装填位置でのロックを解除して、処理機本体２からの紙幣収納カセット３の取り外しを可能とする。このようにカセットシャッタ５３の閉作動によって処理機本体２からの紙幣収納カセット３の取り外しが可能になるため、操作者の作業的な負担が少なくなる。
【００７７】
また、紙幣収納カセット３の枠体４３をガイドレール５０に支持させた状態で所定の装填位置に向けて摺動させると、ラックギア８４が、シャッタロック機構１のピニオンギア８１を回転させることになり、このピニオンギア８１の回転によって作動レバー８０がフック７３をフック用バネの付勢力に抗して押圧し回動させてフック７３のカセットシャッタ５３への係合を解除する。このようにラックギア８４とピニオンギア８１との噛み合いによってフック７３を回動させるため、確実かつ正確なタイミングでカセットシャッタ５３のロックを解除することができる。
【００７８】
また、作動レバー８０が、枠体４３の装填位置に向けた摺動時にカセットシャッタ５３のシャッタロック機構７１からロック不可な位置への離間以降にフック７３への押圧を解除するため、フック７３はフック用バネの付勢力で再びカセットシャッタ５３をロック可能な位置に戻ることになり、自動的にカセットシャッタ５３の閉時のロックに備える状態になる。
【００７９】
また、紙幣収納カセット３の枠体４３をガイドレール５０に支持させた状態で所定の装填位置に向けて摺動させると、シャッタ押圧機構９５の押圧レバー９６は、カセットシャッタ５３に当接してこれを開方向に押圧し、カセットシャッタ５３のシャッタロック機構７１からロック不可な位置への離間以降に枠体４３に当接し回動してカセットシャッタ５３への当接を解除する。よって、自動的にその後のカセットシャッタ５３の閉作動を許容する状態になる。
【図面の簡単な説明】
【００８０】
【図１】本発明の一実施形態の紙幣処理機を概略的に示す側断面図である。
【図２】本発明の一実施形態の紙幣処理機の要部を示す側断面図である。
【図３】本発明の一実施形態の紙幣処理機の要部を示す平断面図である。
【図４】本発明の一実施形態の紙幣処理機の要部を示すもので（ａ）は平断面図、（ｂ）は側面図である。
【図５】本発明の一実施形態の紙幣処理機のシャッタロック機構等を示す平面図であって、（ａ）はロック解除手前の状態、（ｂ）はロック解除後の状態を示すものである。
【図６】本発明の一実施形態の紙幣処理機の要部を示すもので（ａ）は平断面図、（ｂ）は側面図である。
【図７】本発明の一実施形態の紙幣処理機のシャッタ押圧機構等を示す部分拡大側面図である。
【図８】本発明の一実施形態の紙幣処理機のシャッタロック機構等を示す平面図である。
【図９】本発明の一実施形態の紙幣処理機の部分拡大側面図であって、（ａ）はシャッタ押圧機構等を、（ｂ）は枠体ロック機構等を示すものである。
【図１０】本発明の一実施形態の紙幣処理機の要部を示すもので（ａ）は平断面図、（ｂ）は側面図である。
【図１１】本発明の一実施形態の紙幣処理機の要部を示すもので（ａ）は平断面図、（ｂ）は側面図である。
【図１２】本発明の一実施形態の紙幣処理機の要部を示すもので（ａ）は平断面図、（ｂ）は側面図である。
【符号の説明】
【００８１】
１  紙幣処理機
２  処理機本体
３  紙幣収納カセット
４１  開口部
４２  袋体
４３  枠体
４４  上部構成体
４６  下部構成体
５０  ガイドレール（支持手段）
５２  導入口
５３  カセットシャッタ（シャッタ）
７１  シャッタロック機構
７３  フック
８０  作動レバー
８１  ピニオンギア
８４  ラックギア（シャッタロック解除手段）
８７  枠体ロック機構
９５  シャッタ押圧機構（シャッタ押圧手段）
９６  押圧レバー
９９  枠体ロック解除レバー
Ｓ  紙幣
【図１】
0005097483.tif 000002
【図２】
0005097483.tif 000003
【図３】
0005097483.tif 000004
【図４】
0005097483.tif 000005
【図５】
0005097483.tif 000006
【図６】
0005097483.tif 000007
【図７】
0005097483.tif 000008
【図８】
0005097483.tif 000009
【図９】
0005097483.tif 000010
【図１０】
0005097483.tif 000011
【図１１】
0005097483.tif 000012
【図１２】
0005097483.tif 000013